(57)【特許請求の範囲】
【請求項１】
床面（５１）と背面（５２）を有する略筺状の床パネル本体（５）を複数個備え、該床パネル本体（５）の端縁に沿ってそれぞれ配設された接合凸部（１）、接合凹部（２）同士を互いに接合して広面積な床を形成する床パネルの接合構造において、該接合凸部（１）が、上記床パネル本体（５）の床面端縁（５３）又はその側壁（５４）から延出させた突出部（１１）と、該突出部（１１）の先端部又はその近傍から該床パネル本体（５）の背面（５２）側に延出させた曲折部（１２）を備え、上記接合凹部（２）が、上記床パネル本体（５）の床面端縁（５３）又はその側壁（５４）から延出させた凹部本体（２２）と、該凹部本体（２２）の床面（５１）側に配設され前記床面端縁（５３）に沿って所定間隔をもってそれぞれ配設された係合突起（２１）と端部突起（２３）を備え、前記床パネル本体（５）の側壁（５４）と係合突起（２１）の間を排水溝（２４）とし、前記係合突起（２１）と前記端部突起（２３）の間を接合溝（２５）とし、上記接合凸部（１）と上記接合凹部（２）を接合する際に、上記接合溝（２５）に接合部材として合成樹脂製の発泡部材（３１、３１）の間に伸縮性及び接着性を高くしたコーキング材（３２）を充填して形成した弾性体（３）を載置し、上記曲折部（１２）を上記排水溝（２４）に挿入して該曲折部（１２）と該係合突起（２１）を係合させ、さらに、前記床パネル本体（５）の側壁（５４）と該曲折部（１２）の間に押圧部材（４）を嵌装させたことを特徴とする床パネルの接合構造。
【発明の詳細な説明】
【０００１】
【産業上の利用分野】
本発明は、複数枚連続して敷きつめることによりベランダやバルコニーを形成する床パネルの接合構造に関する。
【０００２】
【従来の技術】
従来、防水加工を簡易に施すと共にバルコニーやベランダを形成する部材として床パネルがある。この床パネルは、通常、複数枚が接合されて全体を構成するものであり、このような床パネルの接合構造として本出願人は、特願平６−１２５８３４号を開示している。
【０００３】
この床パネルの接合構造は、接合する床パネル本体の接合端面同士に段部を設けることにより接合溝を設ける一方、この接合溝に接着性を有するコーキング材などで形成された防水材を充填した後、接着性を有さないゴムなどで形成された目地材を嵌装したものであり、これにより防水性が高められている。
【０００４】
【発明が解決しようとする課題】
しかしながら、かかる従来の床パネルの接合端縁にあっては、防水性を持たせているが排水機能を設けていないため、長期的な使用により防水効果が低下してしまうという課題があった。また、上記接合端縁に配設された防水材は、現場作業によって充填されるものであるが、少なすぎると該接合端縁に隙間ができ防水性低下し、多すぎると防水材の上に配設される目地材が浮き上がってしまい防水性が低下するという課題があった。
【０００５】
本発明の目的は、上記従来品の欠点を解消すべく発明されたものであって、床パネルの接合構造に、予め排水機能を持たせるための排水溝と、防水機能を持たせるための接合溝を設け、これにより排水性と防水性の優れた床パネルの接合構造を提供することにある。
【０００６】
また、本発明における他の目的は、現場作業で充填される防水材の量に多少の差異があっても極端な差異がなければ略均一な防水効果を有する床パネルの接合構造を提供することにある。
【０００７】
【課題を解決する手段】
本発明は上記に鑑み発明されたものであって、床面と背面を有する略筺状の床パネル本体を複数個備え、該床パネル本体の端縁に沿ってそれぞれ配設された接合凸部、接合凹部同士を互いに接合して広面積な床を形成する床パネルの接合構造において、該接合凸部が、上記床パネル本体の床面端縁又はその側壁から延出させた突出部と、該突出部の先端部又はその近傍から該床パネル本体の背面側に延出させた曲折部を備え、上記接合凹部が、上記床パネル本体の床面端縁又はその側壁から延出させた凹部本体と、該凹部本体の床面側に配設され前記床面端縁に沿って所定間隔をもってそれぞれ配設された係合突起と端部突起を備え、前記床パネル本体の側壁と係合突起の間を排水溝とし、前記係合突起と前記端部突起の間を接合溝とし、上記接合凸部と上記接合凹部を接合する際に、上記接合溝に接合部材としての弾性体を載置し、上記曲折部を上記排水溝に挿入して該曲折部と該係合突起を係合させ、さらに、前記床パネル本体の側壁と該曲折部の間に押圧部材を嵌装させたものである。
【０００８】
本発明において特徴となる上記接合凹部の排水溝は床パネルの接合部分にきた雨水などを積極的に排水するものであり、上記接合溝は隣接する床パネルの上記接合凸部との接合部材としての弾性体を載置する接合用のものである。このように床パネルの接合構造に二つの溝を設けることにより、防水機能だけでなく排水機能を加えることができる。
【０００９】
本発明における接合部材としての弾性体は、上記接合凸部と接合凹部同士を弾力的に接合できるものであれば適宜選択して使用でき、例えば接着性と伸縮性の高いシリコン系、ブチル系、クロロプレン系、ブタジエン系、ポリサルフアイド系等のゴム、ＥＰＤＭ（エチレン・プロピレンターポリマー）やポリエチレンやポリプロピレン等の合成樹脂やこれらの発泡体、さらにはこれらの複合体がある。また、予め一定の形状に成形されたゴムや合成樹脂に接着剤又は接着テープを取り付けたものを用いることもできる。
【００１０】
また、該弾性体として、任意の寸法に合わせた合成樹脂製の発泡体を敷設した後、この合成樹脂製の発泡体の間に伸縮性と接着性を高くしたコーキング材を充填させたものを採用して発泡体の気泡に上記コーキング材を浸入させることにより、現場作業で充填される防水材の量に多少の差異があっても極端な差異がなければ略均一な防水効果を得ることができる。
【００１１】
本発明にかかる床パネルの接合構造において、高い防水性を保持させるためには、接合凸部と接合凹部の係合に不用意な隙間を作らず、床パネル同士を水平に敷設させることが必要である。そのため、本発明にあっては、前記接合凸部の突出部の長さを接合凹部の端縁突起から係合突起までの長さと略同じか幾分大きめの長さにしなければならず、該曲折部自体の長さを上記係合突起の突起長さよりも短く形成しなければならず、さらに、上記接合凹部の端縁突起を前記接合凸部の突出部の高さ位置を越えて突出させてはならない。なお、それぞれの具体的な長さは互いに係合し合う突起同士の長さとの兼ね合いで決定される。
【００１２】
本発明における上記押圧部材は、上記接合凸部の曲折部を上記接合凹部の係合突起に押圧する部材であれば適宜選択できるものであり、例えば、ある程度弾性を有するゴムや合成樹脂若しくはこれらの複合体がある。なお、本発明にあっては該押圧部材を接合溝でなく排水溝に嵌装させるため、この押圧部材は防水性を有していてもいなくても良いが、排水溝の機能を発揮させるためには透水性のものがよく、接合された際に隣接する床パネルの側壁の間に隙間を作り該押圧部材を該隙間の底とするときは防水性を有する素材が好ましい。
【００１３】
上記床パネルの素材としては、一方の端縁に接合溝、他方の端縁に係止片を配設すれば上記接合構造が構成できることから、特に限定しなくともよいが、例えば、ＦＲＰ（繊維補強プラスチック）、硬質塩化ビニル樹脂、ＡＢＳ（アクリロニトリル・ブタジエン・スチレン）樹脂等の合成樹脂若しくは石綿セメント等の無機質硬化物がある。なお、成形加工性及び軽量性を考えるとＦＲＰが好ましい。また、このＦＲＰ若しくは硬質塩化ビニル樹脂等の場合には、その内部を他充填部材で形成することによって軽量化できる。
【００１４】
なお、本発明にかかる床パネルの接合構造は、隣接する床パネル同士の相対向する位置のみに設定するだけでなく、任意の床パネル端面に設置することにより、一方向に接続するだけでなく多方向に接続させることもできる。
【００１５】
【作用】
本発明は、床パネルの接合構造に、排水機能を持たせた排水溝と、防水機能を持たせた接合溝を設けているため、高い排水性と高い防水性を得ることができる。また、前記接合溝に載置した弾性体を合成樹脂製の発泡部材の間に伸縮性及び接着性を高くしたコーキング材を充填して形成したものとすることにより、現場作業で充填される防水材の量に多少の差異があっても極端な差異がなければ略均一な防水効果を得ることができる。
【００１６】
【実施例】
以下、本発明を図面に示す実施例に基づいて詳細に説明する。図１は本発明に係る床パネルの接合構造の第一実施例を模式的に示した要部断面図であり、図２は図１に係る床パネルの接合構造の接合前の床パネル同士を模式的に示した斜視図である。
【００１７】
本実施例における床パネルの接合構造は、床面５１と背面５２を有する略筺状の床パネル本体５の複数枚の端縁同士を接合することにより広面積な床を形成するものであり、その主要部は、該端縁に設けられた接合凸部１、接合凹部２同士の接合構造にある。
【００１８】
ここで、前記接合凸部１には、上記床パネル本体５の床面端縁５３から延出された突出部１１と、該突出部１１の先端部から該床パネル本体５の背面側に延出された曲折部１２が設けられている。
【００１９】
上記接合凹部２には、上記床パネル本体５の床面端縁５３から延出された凹部本体２１と、該凹部本体２１の床面５１側に配設され前記床面端縁５３に沿って所定間隔をもってそれぞれ配設された係合突起２１と端部突起２３が設けられ、前記床パネル本体５の側壁５４と係合突起２１の間には排水溝２４が設けられ、前記係合突起２１と前記端部突起２３の間には接合溝２５が設けられている。
【００２０】
また、図１に開示されているように、上記接合凸部１と上記接合凹部２の接合には、接合部材としての弾性体３が上記接合溝２５に載置されて用いられている。該弾性体３には、合成樹脂製の発泡部材３１、３１の間に伸縮性及び接着性を高くしたゴム製のコーキング材３２を充填したものを採用している。
【００２１】
ここで、本実施例における床パネルの接合構造の組立作業について説明する。まず、上記接合溝２５に発泡部材３１、３１を敷設し、この発泡部材３１、３１の間に前記コーキング材３２を充填して接合部材としての弾性体３を載置する。次ぎに、上記曲折部１２を上記排水溝２４に挿入して該曲折部１２と該係合突起２１を係合させ、前記床パネル本体５の側壁５４と該曲折部１２の間に押圧部材４を嵌装させる。以上の作業により組立作業は完了する。
【００２２】
なお、図中、符号６は床パネル本体５の内部の発泡ポリウレタンであり、床面５１は硬質に形成されたＦＲＰ（繊維補強プラスチック）である。
【００２３】
本実施例にあっては、床パネル上の接合部分に雨水などの水がきても、排水溝から排水される一方、仮に接合部分に浸水があっても係合突起、弾性体、端部突起によって従来の製品より防水性を高めているため、床パネル同士の接合部から床パネル背面側へと水が漏れることがないという効果を有する。また、本実施例にあっては、弾性体を合成樹脂製の発泡部材の間に伸縮性及び接着性の高いコーキング材を充填したものとしているため、発泡部材によりコーキング材の充填量に多少の差異があっても該発泡部材の気泡で充填量の差異を緩和でき、これにより充填量に極端な差異がなければ略均一な防水機能が得られるという効果を有する。
【００２４】
図３に基づいて、本発明に係る第二実施例について詳細に説明する。
【００２５】
図３は、本発明に係る床パネルの接合構造の第二実施例の接合前の床パネル同士を模式的に示した斜視図である。
【００２６】
本実施例にあっては、床パネルの接合凸部１及び接合凹部２を床パネル本体５の側壁に設けたものである。
【００２７】
本実施例は、排水溝の上に床パネルの側壁によって形成された溝が形成されるため、第一実施例よりも高い排水効果を有する。
【００２８】
【発明の効果】
本発明にあっては、床面と背面を有する略筺状の床パネル本体の端縁に沿ってそれぞれ配設された接合凸部、接合凹部同士を互いに接合して広面積な床を形成する床パネルの接合構造において、該接合凸部が、上記床パネル本体の床面端縁又はその側壁から延出させた突出部と、該突出部の先端部から該床パネル本体の背面側に延出させた曲折部を備え、上記接合凹部が、上記床パネル本体の床面端縁に沿って設けられた係合突起と端部突起により排水溝と接合溝を備え、上記接合凸部と上記接合凹部を接合する際に、上記接合溝に接合部材としての弾性体を載置し、上記曲折部を上記排水溝に挿入して該曲折部と該係合突起を係合させ、さらに、前記床パネル本体の側壁と該曲折部の間に押圧部材を嵌装させ、これにより、高い排水性と高い防水性を得ることができるという効果を有する。
【００２９】
また、本出願に係る他の発明にあっては、上記弾性体を合成樹脂製の発泡部材の間に伸縮性及び接着性を高くしたコーキング材を充填したものとしているため、発泡部材によりコーキング材の充填量に多少の差異があっても該発泡部材の気泡で充填量の差異を緩和でき、これにより充填量に極端な差異がなければ略均一な防水機能が得られるという効果を有する。
【図面の簡単な説明】
【図１】本発明に係る床パネルの接合構造の第一実施例を示した要部断面図である。
【図２】図１に係る床パネルの接合構造の接合前の床パネル同士を模式的に示した斜視図である。
【図３】本発明に係る床パネルの接合構造の第二実施例の接合前の床パネル同士を模式的に示した斜視図である。
【符号の説明】
１  接合凸部
１１  突出部
１２  曲折部
２  接合凹部
２１  係合突起
２２  凹部本体
２３  端部突起
２４  排水溝
２５  接合溝
３  弾性体
３１  発泡部材
３２  コーキング材
４  押圧部材
５  床パネル本体
５１  床面
５２  背面
５３  床面端縁
５４  側壁
【図１】
0003578517.tif 000002
【図２】
0003578517.tif 000003
【図３】
0003578517.tif 000004